(57)【要約】【課題】ネックストラップを備え、不使用時に、コードがストラップに絡まって次回使用時に手間取ることがなく、コードが身体の動きに共振して揺動し使用者に不快な装着感を与えることがないヘッドホン（５０）を提供する。【解決手段】環状のネックストラップ部（１）とそこに設けられた分岐部（１Ｌ，１Ｒ）から分岐したコード（２Ｌ，２Ｒ）とコード（２Ｌ，２Ｒ）の先端に接続されたスピーカ部（３Ｌ，３Ｒ）とを備え、分岐部（１Ｌ，１Ｒ）は貫通孔（１Ｌ３ａ，１Ｒ３ａ）を有し、分岐部（１Ｌ，１Ｒ）から分岐したコード（２Ｌ，２Ｒ）は貫通孔（１Ｌ３ａ，１Ｒ３ａ）に進退自在に挿通されており、スピーカ部（３Ｌ，３Ｒ）は挿通されたコード（２Ｌ，２Ｒ）の先端に接続されると共に、コード（２Ｌ，２Ｒ）を分岐部（１Ｌ，１Ｒ）側に引き戻した際に、貫通孔（１Ｌ３ａ，１Ｒ３ａ）に嵌合して分岐部（１Ｌ，１Ｒ）に係止される。【選択図】図４
2009027621.tif 000002
【特許請求の範囲】
【請求項１】
環状のネックストラップ部と、
該ネックストラップ部に設けられた分岐部から分岐したコードと、
該コードの先端に接続されたスピーカ部と、を備えたヘッドホンにおいて、
前記分岐部は貫通孔を有し、
前記分岐部から分岐したコードは、前記貫通孔に進退自在に挿通されており、
前記スピーカ部は、前記挿通されたコードの先端に接続されると共に、前記コードを前記分岐部側に引き戻した際に、前記貫通孔に嵌合して前記分岐部に係止されるよう構成されて成ることを特徴とするヘッドホン。
【請求項２】
前記貫通孔及び前記スピーカ部のいずれか一方に切り込み部を設ける一方、他方に前記切り込み部に係合するリブを設け、
前記スピーカ部が前記貫通孔に嵌合した際に、前記リブが前記切り込み部に係合して、前記スピーカ部の、前記貫通孔の軸まわりの回動が規制されるよう構成されて成ることを特徴とする請求項１記載のヘッドホン。
【請求項３】
前記貫通孔の軸は、前記ネックストラップ部を使用者が首から掛けて起立した際の天地方向となることを特徴とする請求項１または請求項２記載のヘッドホン。
【発明の詳細な説明】
【技術分野】
【０００１】
本発明は、ヘッドホンに係り、特に、ネックストラップを有したヘッドホンにおいて不使用時においてコードが絡まらないようにする技術に関する。
【背景技術】
【０００２】
近年の携帯音楽プレーヤの普及により、ヘッドホンを装着したまま屋外で活動したり、ヘッドホンをファッショナブルな装身具として身につけることが一般化してきている。
そのため、ヘッドホンを使用していない時にも、身体から外すことなく身に着けていられるように、首に掛けるネックストラップをヘッドホンに一体化した、いわゆるネックストラップ付きのヘッドホンが急速に普及している（図１０参照）。
【０００３】
しかしながら、このネックストラップ付きヘッドホン１０１は、図１０に示すように、首に掛けるリング状のストラップ部１０２から、耳へ装着するスピーカ部１０３Ｌ，１０３Ｒを先端に有する一対のコード１０４Ｌ，１０４Ｒが、各分岐部１０５Ｌ，１０５Ｒから分岐して延出する形態となっており、スピーカ部１０３Ｌ，１０３Ｒを耳から外した不使用時に、コード１０４Ｌ，１０４Ｒがその自重により地面側（図の下方側）に垂れ下がってストラップ部１０２に絡まり、次に使用する際にそのほぐしに手間取ったり、身体の動きに共振して大きく（ぶらぶらと）揺動し、不快な装着感を使用者に与えるという問題があった。
【０００４】
また、不使用時に左右のスピーカ部１０３Ｌ，１０３Ｒの向きが勝手な方向を向き、その位置が定まらないので、特に、ファッションセンスを強く意識する使用者においては、このネックストラップ付きヘッドホン１０１を装着した自分自身のルックス向上のために、不使用時にスピーカ部１０３Ｌ，１０３Ｒがネックストラップ付きヘッドホン１０１のデザインの一部として固定されて、見た目がより美しくなることが望まれている。
【０００５】
ところで、ヘッドホンの不使用時にコードが絡まるのを防止する技術は、古くから検討されており、例えば、特許文献１や特許文献２に記載されたものがある。
【０００６】
【特許文献１】実開平５−３１４９１号公報
【特許文献２】実開平７−４２２９７号公報
【発明の開示】
【発明が解決しようとする課題】
【０００７】
特許文献１に記載されたヘッドホンにおいては、左右のコードの分岐部に、コードを係止する係止部が備えられている。
しかしながら、この係止部は、コードを係止するものであるから、自然状態でスピーカ部（特許文献１におけるイヤホンユニット）が首を垂れて自由に揺動してしまうものである。また、当然に、スピーカ部の向きが常に一定方向を向くものではない。
【０００８】
特許文献２に記載されたヘッドホンは、左右のコードの分岐点とスピーカとの間に、その左右のコードを連結・分離する摺動可能なスライダを備え、不使用時に、左右のコードを連結するようにスライダを動かせる構成とされている。
しかしながら、このスライダは、ヘッドホンとは別の部材であるから部品点数が増えてコストアップの要因となり、また、スライダにより連結された左右のコードは、やはり分岐点から首を垂れて自由に揺動してしまうものである。
【０００９】
そのため、各特許文献に記載された技術をネックストラップ付きヘッドホンに適用しても、ネックストラップにコードが絡まることで次回使用する時に迅速に使用開始し難いという問題や、スピーカ部が身体の動きに共振して揺動することで不快な装着感を使用者に与えるという問題を解決するものではない。
【００１０】
また、ネックストラップヘッドホンに特許文献２を適用した場合、不使用時に左右のスピーカ部の向きは揃うものの、分岐点から先の連結したコード部が揺動してしまうので、スピーカ部の向きが揃わず、また、その位置が安定しないのは同様のことであるから、更なる美的な外観向上はやはり望まれる。
【００１１】
そこで、本発明が解決しようとする課題は、ネックストラップを備え、不使用時に、コードがそのネックストラップに絡まって次回使用時に手間取ることがなく、不使用時に、コードが身体の動きに共振して揺動し使用者に不快な装着感を与えることがなく、不使用時においてもスピーカ部の向きや位置が安定して美観がより向上する、ヘッドホンを提供することにある。
【課題を解決するための手段】
【００１２】
上記の課題を解決するために、本願発明は手段として次の１）〜３）の構成を有する。
１）  環状のネックストラップ部（１）と、
該ネックストラップ部（１）に設けられた分岐部（１Ｌ，１Ｒ）から分岐したコード（２Ｌ，２Ｒ）と、
該コード（２Ｌ，２Ｒ）の先端に接続されたスピーカ部（３Ｌ，３Ｒ）と、を備えたヘッドホンにおいて、
前記分岐部（１Ｌ，１Ｒ）は貫通孔（１Ｌ３ａ，１Ｒ３ａ）を有し、
前記分岐部（１Ｌ，１Ｒ）から分岐したコード（２Ｌ，２Ｒ）は、前記貫通孔（１Ｌ３ａ，１Ｒ３ａ）に進退自在に挿通されており、
前記スピーカ部（３Ｌ，３Ｒ）は、前記挿通されたコード（２Ｌ，２Ｒ）の先端に接続されると共に、前記コード（２Ｌ，２Ｒ）を前記分岐部（１Ｌ，１Ｒ）側に引き戻した際に、前記貫通孔（１Ｌ３ａ，１Ｒ３ａ）に嵌合して前記分岐部（１Ｌ，１Ｒ）に係止されるよう構成されて成ることを特徴とするヘッドホン（５０）である。
２）  前記貫通孔（６１Ｌ３ａ，６１Ｒ３ａ）及び前記スピーカ部（６３Ｌ，６３Ｒ）のいずれか一方に切り込み部（６１Ｌ３ｂ，６１Ｒ３ｂ）を設ける一方、他方に前記切り込み部（６１Ｌ３ｂ，６１Ｒ３ｂ）に係合するリブ（６３Ｌ３ａ，６３Ｒ３ａ）を設け、
前記スピーカ部（６３Ｌ，６３Ｒ）が前記貫通孔（６１Ｌ３ａ，６１Ｒ３ａ）に嵌合した際に、前記リブ（６３Ｌ３ａ，６３Ｒ３ａ）が前記切り込み部（６１Ｌ３ｂ，６１Ｒ３ｂ）に係合して、前記スピーカ部（６３Ｌ，６３Ｒ）の、前記貫通孔（６１Ｌ３ａ，６１Ｒ３ａ）の軸まわりの回動が規制されるよう構成されて成ることを特徴とする前記１）に記載のヘッドホン（６１）である。
３）  前記貫通孔（６１Ｌ３ａ，６１Ｒ３ａ）の軸は、前記ネックストラップ部（６１）を使用者（Ｕ）が首から掛けて起立した際の天地方向となることを特徴とする前記１）または前記２）に記載のヘッドホン（５１）である。
【発明の効果】
【００１３】
本発明によれば、不使用時に、コードがネックストラップに絡まって次回使用時に手間取ることがなく、また、不使用時に、コードが身体の動きに共振して揺動し使用者に不快な装着感を与えることがなく、また、不使用時においてもスピーカ部の向きや位置が安定して美観がより向上する、という効果を奏する。
【発明を実施するための最良の形態】
【００１４】
本発明の実施の形態を、好ましい実施例により図１〜図９を用いて説明する。
【００１５】
＜第１実施例＞
まず、第１実施例について詳述する。
この第１実施例のヘッドホン５０は、いわゆるネックストラップ付きのヘッドホンであり、図１に示すように、首に掛けるためのリング状のストラップ部１と、ストラップ部１の一対の分岐部１Ｌ，１Ｒからそれぞれ分岐したコード２Ｌ，２Ｒと、各コードの先端に取り付けられ耳に装着されるスピーカ部３Ｌ，３Ｒと、ストラップ部１に設けられた樹脂製の連結ハウジング１ａと、その連結ハウジング１ａから延出し先端に外部機器に接続するためのプラグ４ａを有する接続コード４と、ストラップ部１上に設けられ外部から強い力が付与された時などに人体への影響を回避するためにストラップ部１の環状を解放する緊急分離部１ｂと、連結ハウジング１ａに設けられ、ボタンなどに掛けるためのリングフック５と、を備えている。
【００１６】
ストラップ部１は、断面が略円形の紐状とされている。
【００１７】
スピーカ部３Ｌ，３Ｒは、いわゆるインナーイヤータイプであり、スピーカユニット３Ｌ１，３Ｒ１と、それを内部に収容すると共に所定容量のバックキャビティを有するよう形成されたハウジング３Ｌ２，３Ｒ２と、放音方向に対して略直交方向にハウジング３Ｌ２，３Ｒ２から延出しコード２Ｌ，２Ｒが連結された首部３Ｌ３，３Ｒ３と、を備えた構成とされている。
首部３Ｌ３，３Ｒ３は、ハウジング３Ｌ２，３Ｒ２側に対してコード２Ｌ，２Ｒ側が小径のすぼまるような略円筒形状とされている。
ハウジング３Ｌ２，３Ｒ２及び首部３Ｌ３，３Ｒ３は、樹脂または金属により形成される。
【００１８】
このヘッドホン５０は、外部機器に接続されたプラグ４ａを介してＬとＲの２チャネルの音声信号が供給される。
この音声信号は、プラグ４ａから接続コード４を経由してまず連結ハウジング１ａに送られる。
連結ハウジング１ａではチャネル毎に経路を分岐し、Ｌ信号はストラップ部１に内装された信号線ＳＮＬを通じて分岐部１Ｌに送られ、コード２Ｌを介してスピーカ部３Ｌにて音声として放出される。
一方、Ｒ信号は、連結ハウジング１ａからストラップ部１に内装された信号線ＳＮＲを通じて分岐部１Ｒに送られ、コード２Ｒを介してスピーカ部３Ｒにて音声として放出される。
【００１９】
係止部１Ｌ，１Ｒは、左右対称の形状をしており、その詳細について分岐部１Ｒを代表として図２を用いて詳述する。図２は、分岐部１Ｒの拡大図である。
【００２０】
この分岐部１Ｒは、ストラップ部１に対して一体成形で設けられた樹脂製の本体部１Ｒ１と、ストラップ部１に内装され連結ハウジング１ａから送られる音声信号が流れる信号線ＳＮＲを外部にコード２Ｒとして送出する送出部１Ｒ２と、ストラップ部１に対して送出部１Ｒ２と同じ側に送出部１Ｒ２と連続する形状で外方に突出して形成された係止部１Ｒ３と、を備えている。
この係止部１Ｒ３には、貫通孔１Ｒ３ａが設けられている。
この貫通孔１Ｒ３ａは、内径がコード２Ｒの外径よりも大きい径で形成されている。
そして、送出部１Ｒ２から延出したコード２Ｒは、この貫通孔１Ｒ３ａに進退自在に挿通されている。
【００２１】
このヘッドホン５０を組み立てる際には、コード２Ｒにスピーカ部３Ｒを取り付ける前にこのコード２Ｒを貫通孔１Ｒ３ａに挿通させる。
【００２２】
図１の状態は、スピーカ部３Ｌ，３Ｒを耳に装着し得る使用状態を示している。
すなわち、Ｒ側について図１及び図２に示すように、貫通孔１Ｌ３ａ，１Ｒ３ａに通したコード２Ｌ，２Ｒを図２の矢印Ｄ１方向に所定量以上引き出した状態である。
送出部１Ｌ２，１Ｒ２から延出されたコード２Ｌ，２Ｒの長さ及びストラップ部１における分岐部１Ｌ，１Ｒの位置は、この使用状態においてストラップ部１を首に掛けた際に、スピーカ部３Ｌ，３Ｒがそれぞれ左右の耳に装着できる長さ及び位置に設定されている。
【００２３】
一方、コード２Ｌ，２Ｒを貫通孔１Ｌ３ａ，１Ｒ３ａから図２の矢印Ｄ２方向に引き戻した際に、実施例のヘッドホン５０は、スピーカ部３Ｌ，３Ｒの首部３Ｌ３，３Ｒ３が、係止部１Ｌ，１Ｒの貫通孔１Ｌ３ａ，１Ｒ３ａに保持されるように両者の形状が設定されている。
具体的には、首部３Ｌ３，３Ｒ３を貫通孔１Ｌ３，１Ｒ３に強嵌合で嵌め込むことができるようになっている。
【００２４】
図３を用いてＲ側を代表に詳述すると、スピーカ部３Ｒの首部３Ｒ３は、そのコード２Ｒ側の外径φ１とハウジング３Ｒ２側の外径φ２が、φ１＜φ２として形成されている。
これに対して、係止部１Ｒ３の貫通孔１Ｒ３ａの内径φ３は、φ１＜φ３＜φ２として形成されている。
このため、不使用時に、コード２Ｒを矢印Ｄ２方向に引き戻すと、首部３Ｒ３のいずれかの部分で貫通孔１Ｒ３ａと強嵌合となってスピーカ部３Ｒは、係止部１Ｒ３に保持される。
【００２５】
この不使用時の状態を図４に示す。この状態においては、スピーカ部３Ｌ，３Ｒが係止部１Ｌ３，１Ｒ３に保持されるので、コード２Ｌ，２Ｒがストラップ部１に絡まることがなく、また、身体の動きに共振してスピーカ部３Ｌ，３Ｒが揺動することはない。
この不使用時の状態からスピーカ部３Ｌ，３Ｒを指でつまんで係止部１Ｌ３，１Ｒ３から引き離すと、強嵌合から開放されてスピーカ部３Ｌ，３Ｒは係止部１Ｌ３，１Ｒ３から分離し、ヘッドホン５０を容易に使用状態とすることができる。
【００２６】
係止部１Ｒ３の向きは、上述したようにその貫通孔１Ｒ３ａの軸ＣＬ１（図３参照）がストラップ部１の延在方向に直交するものに限らない。
【００２７】
例えば、図５に示す係止部１Ｒ３３のように、その貫通孔１Ｒ３３ａの軸ＣＬ１がストラップ部１の延在方向に沿うように設けてもよい。また、両者の中間の角度となるようにしてもよい。
図５のようにした場合、スピーカ部３Ｌ，３Ｒの貫通孔１Ｒ３３への嵌合方向が重力方向（矢印Ｇ方向）に一致するので、スピーカ部３Ｌ，３Ｒをより安定して支持することが可能となる。
すなわち、使用者がネックストラップ部１を首に掛けて起立した状態で、貫通孔１Ｒ３の軸ＣＬ１の方向が天地方向となるので、スピーカ部３Ｌ，３Ｒをより安定して支持することができるということである。
また、この場合、スピーカ部３Ｌ，３Ｒから延出するコード２Ｌ，２Ｒの延在方向がストラップ部１に沿う方向となるので、見た目に整理された感じとなり望ましい。
【００２８】
＜第２実施例＞
次に、不使用時に、スピーカ部３Ｌ，３Ｒの向きが身体に対して常に一定の向きとなるように構成した第２実施例であるヘッドホン５１を、図６を用いて説明する。
【００２９】
この第２実施例のヘッドホン５１も、ネックストラップ付きのヘッドホンであり、図６に示すように、首に掛けるためのリング状のストラップ部６１と、ストラップ部６１の一対の分岐部６１Ｌ，６１Ｒからそれぞれ分岐したコード６２Ｌ，６２Ｒと、各コードの先端に取り付けられ耳に装着されるスピーカ部６３Ｌ，６３Ｒと、ストラップ部６１に設けられた樹脂製の連結ハウジング６１ａと、その連結ハウジング６１ａから延出し先端に外部機器に接続するためのプラグ６４ａを有する接続コード６４と、ストラップ部６１上に設けられ外部から強い力が付与された時などに人体への影響を回避するためにストラップ部６１の環状を解放する緊急分離部６１ｂと、連結ハウジング６１ａに設けられ、ボタンなどに掛けるためのリングフック６５と、を備えている。
【００３０】
ストラップ部６１は、扁平なリボン状を呈している。これにより、このストラップ部６１は、首に掛けられた際には、扁平の幅の広い面（以下、表面と称する）６１ｆが必ず身体に沿って正面を向くようになる。
【００３１】
スピーカ部６３Ｌ，６３Ｒは、いわゆるインナーイヤータイプであり、スピーカユニット６３Ｌ１，６３Ｒ１と、それを内部に収容すると共に所定容量のバックキャビティを有するよう形成されたハウジング６３Ｌ２，６３Ｒ２と、放音方向に対して略直交方向にハウジング６３Ｌ２，６３Ｒ２から延出しコード６２Ｌ，６２Ｒが連結された首部６３Ｌ３，６３Ｒ３と、を備えた構成とされている。
ハウジング６３Ｌ２，６３Ｒ２及び首部６３Ｌ３，６３Ｒ３は、樹脂または金属により形成される。
【００３２】
また、特にハウジング６３Ｌ２，６３Ｒ２における放音面ＨＯＭとは反対側の背面部６３Ｒ２ａ，６３Ｌ２ａには、視覚的に美しいという感覚や鮮烈な印象を想起させるような絵柄ＥＧが形成されている。
この図６の例では、鏡面仕上げとされた星型マークを背面部６３Ｌ２ａ，６３Ｒ２ａに設けてある。
【００３３】
また、首部６３Ｌ３，６３Ｒ３は、ハウジング６３Ｌ２，６３Ｒ２側に対してコード６２Ｌ，６２Ｒ側が小径のすぼまるような略円筒形状とされ、さらに、図６において外側となる側面に、矩形状の断面で突出するリブ６３Ｌ３ａ，６３Ｒ３ａが形成されている。
【００３４】
このヘッドホン５１は、外部機器に接続されたプラグ６４ａを介してＬとＲの２チャネルの音声信号が供給される。
この音声信号は、プラグ６４ａから接続コード６４を経由してまず連結ハウジング６１ａに送られる。
ハウジング６１ａではチャネル毎に経路を分岐し、Ｌ信号はストラップ部６１に内装された信号線ＳＮＬ（図示せず）を通じて分岐部６１Ｌに送られ、コード６２Ｌを介してスピーカ部６３Ｌにて音声として放出される。
一方、Ｒ信号は、ハウジング６１ａからストラップ部６１に内装された信号線ＳＮＲ（後述）を通じて分岐部６１Ｒに送られ、コード６２Ｒを介してスピーカ部６３Ｒにて音声として放出される。
【００３５】
係止部６１Ｌ，６１Ｒは、左右対称の形状をしており、その詳細について分岐部１Ｒを代表として図７を用いて詳述する。図７は、分岐部６１Ｒの拡大図である。
【００３６】
この分岐部６１Ｒは、ストラップ部６１に対して一体成形で設けられた樹脂製の本体部６１Ｒ１と、ストラップ部６１に内装されハウジング６１ａから送られる音声信号が流れる信号線ＳＮＲを外部にコード６２Ｒとして送出する送出部６１Ｒ２と、ストラップ部６１に対して送出部６１Ｒ２と同じ側に送出部６１Ｒ２と連続して外方に突出して形成された係止部６１Ｒ３と、を備えている。
この係止部６Ｒ３には、貫通孔６１Ｒ３ａが設けられており、この貫通孔６１Ｒ３には、本体部６１Ｒから離れる方向に矩形に切り込まれた切り込み部６１Ｒ３ｂが形成されている。
この貫通孔６１Ｒ３ａは、その内径がコード６２Ｒの外径よりも大きい径で形成されている。
そして、送出部６１Ｒ２から延出したコード６２Ｒは、この貫通孔６１Ｒ３ａに進退自在に挿通されている。
【００３７】
信号線ＳＮＲは、ストラップ部６１が扁平のリボン状であることから、フラットワイヤケーブルとして内装されている。
【００３８】
このヘッドホン５１を組み立てる際には、コード６２Ｒにスピーカ部６３Ｒを取り付ける前にこのコード６２Ｒを貫通孔６１Ｒ３ａに挿通させる。
【００３９】
この貫通孔６１Ｒ３ａ及び切り込み部６１Ｒ３ｂには、それぞれスピーカ部６３Ｒにおける首部６３Ｒ３及びリブ３Ｒ３ａが嵌合する。
【００４０】
ここで、図６の状態は、スピーカ部６３Ｌ，６３Ｒを耳に装着し得る使用状態を示している。
すなわち、Ｒ側について図６及び図７に示すように、貫通孔６１Ｌ３ａ，６１Ｒ３ａに通したコード６２Ｌ，６２Ｒを図７の矢印Ｄ１方向に所定量以上引き出した状態である。
送出部６１Ｌ２，６１Ｒ２から延出されたコード６２Ｌ，６２Ｒの長さ及びストラップ部６１における分岐部６１Ｌ，６１Ｒの位置は、この使用状態においてストラップ部６１を首に掛けた際に、スピーカ部６３Ｌ，６３Ｒがそれぞれ左右の耳に装着できる長さ及び位置に設定されている。
【００４１】
一方、コード６２Ｌ，６２Ｒを貫通孔６１Ｌ３ａ，６１Ｒ３ａから図７の矢印Ｄ２方向に引き戻した際に、実施例のヘッドホン５１は、スピーカ部６３Ｌ，６３Ｒの首部６３Ｌ３，６３Ｒ３が、係止部６１Ｌ，６１Ｒの貫通孔６１Ｌ３ａ，６１Ｒ３ａに保持されるように両者の形状が設定されている。
具体的には、首部３Ｌ３，３Ｒ３を貫通孔１Ｌ３，１Ｒ３に強嵌合で嵌め込むことができるようになっている。
【００４２】
さらに、スピーカ部６３Ｌ，６３Ｒのリブ３Ｌ３ａ，３Ｒ３ａが、切り込み部６１Ｌ３ｂ，６１Ｒ３ｂに係合するようになっており、これにより、係止部６１Ｌ，６１Ｒの貫通孔６１Ｌ３ａ，６１Ｒ３ａに対するスピーカ部６３Ｌ，６３Ｒの回動が規制され、その背面部６３Ｌ２ａ，６３Ｒ２ａの向きが一定となる。
【００４３】
このスピーカ部６３Ｌ，６３Ｒと係止部６１Ｌ，６１Ｒとが係合した不使用の状態を示す図８を用いてＲ側を代表に詳述すると、スピーカ部６３Ｒの首部６３Ｒ３は、そのコード６２Ｒ側の外径φ４とハウジング６３Ｒ２側の外径φ５が、φ４＜φ５として形成されている。
これに対して、係止部６１Ｒ３の貫通孔６１Ｒ３ａの内径φ６は、φ４＜φ６＜φ５として形成されている。
このため、不使用時に、コード６２Ｒを図７に示す矢印Ｄ２方向に引き戻すと、首部６３Ｒ３のいずれかの部分で貫通孔６１Ｒ３ａと強嵌合となってスピーカ部６３Ｒは、係止部６１Ｒ３に保持される。
また、この嵌合は、リブ６３Ｒ３ａが切り込み部６１Ｒ３ｂに係合することとで可能となる。
【００４４】
また、図８に示すように、スピーカ部６３Ｌ，６３Ｒの貫通孔６１Ｒ３３への嵌合方向が使用時の重力方向（矢印Ｇ方向）に一致するので、スピーカ部６３Ｌ，６３Ｒをより安定して支持することが可能となる。
すなわち、使用者がネックストラップ部６１を首に掛けて起立した状態で、貫通孔６１Ｒ３の軸ＣＬの方向が天地方向となるので、スピーカ部６３Ｌ，６３Ｒをより安定して支持することができるということである。
この図８に示した不使用状態においては、スピーカ部６３Ｌ，６３Ｒが係止部６１Ｌ３，６１Ｒ３に保持されるので、コード６２Ｌ，６２Ｒがストラップ部６１に絡まることがなく、また、身体の動きに共振してスピーカ部６３Ｌ，６３Ｒが揺動することはない。
【００４５】
この不使用時の状態からスピーカ部６３Ｌ，６３Ｒを指でつまんで係止部６１Ｌ３，６１Ｒ３から引き離すと、強嵌合から開放されてスピーカ部６３Ｌ，６３Ｒは係止部６１Ｌ３，６１Ｒ３から分離し、ヘッドホン５１を容易に使用状態とすることができる。
【００４６】
また、この不使用時の状態において、スピーカ部６３Ｌ，６３Ｒの向きが、ストラップ部６１の向きに対して一定となる。
この第２実施例においては、スピーカ部６３Ｌ，６３Ｒの背面部６３Ｌ２ａ，６３Ｒ２ａが、ストラップ部６１の表面６１ｆと概ね平行になるように保持される。
これにより、図９に示すような、このヘッドホン５１の絵柄ＥＧと着衣の柄との統一（図９では星形マークの統一）やカラーコーディネートなどを積極的行うことができ、ヘッドホン５１をファッションの一部として身体に装着することができる。
【００４７】
本発明の実施例は、上述した構成及び手順に限定されるものではなく、本発明の要旨を逸脱しない範囲において変形例としてもよいのは言うまでもない。
スピーカ部３Ｌ，３Ｒは、インナーイヤータイプあるいはカナルタイプに限らず、耳掛けタイプであってもよい。
第２実施例においては、スピーカ部にリブを設け係止部の貫通孔に切り込み部を設けたた、逆にスピーカ部に切り込み部を設け、係止部の貫通孔にこの切り込み部に係合する凸部（リブ）を設けてもよい。
また、各実施例は、左右の耳用のスピーカ部３Ｌ，３Ｒを備えてステレオ再生が可能なヘッドホンを説明したが、先端にスピーカ部を有する１本のコードがネックストラップ部１から分岐するモノラルタイプのヘッドホンであってもよい。
【図面の簡単な説明】
【００４８】
【図１】本発明のヘッドホンの第１実施例を示す外観図である。
【図２】本発明のヘッドホンの第１実施例における要部を説明する図である。
【図３】本発明のヘッドホンの第１実施例における要部を説明する他の図である。
【図４】本発明のヘッドホンの第１実施例の不使用状態を説明するための外観図である。
【図５】本発明のヘッドホンの第１実施例における要部の変形例を説明するための図である。
【図６】本発明のヘッドホンの第２実施例を示す外観図である。
【図７】本発明のヘッドホンの第２実施例における要部を説明する図である。
【図８】本発明のヘッドホンの第２実施例における腰部を説明する他の図である。
【図９】本発明のヘッドホンの第２実施例を首に掛け不使用状態とした態様を説明する図である。
【図１０】従来のヘッドホンを示す図である。
【符号の説明】
【００４９】
１，６１  ストラップ部
１ａ，６１ａ  連結ハウジング
１ｂ，６１ｂ  緊急分離部
１Ｌ，１Ｒ，６１Ｌ，６１Ｒ  分岐部
１Ｒ１，６１Ｒ１  本体部
１Ｒ２，６１Ｒ２  送出部
１Ｒ３，６１Ｒ３  係止部
１Ｒ３ａ，６１Ｒ３ａ  貫通孔
２Ｌ，２Ｒ，６１Ｌ，６１Ｒ  コード
３Ｌ，３Ｒ，６３Ｌ，６３Ｒ  スピーカ部
３Ｌ１，３Ｒ１，６３Ｌ１，６３Ｒ１  スピーカユニット
３Ｌ２，３Ｒ２，６３Ｌ２，６３Ｒ２  ハウジング
３Ｌ３，３Ｒ３，６３Ｌ３，６３Ｒ３  首部
６３Ｌ３ａ，６３Ｒ３ａ  リブ
４，６４  接続コード
４ａ，６４ａ  プラグ
５，６５  リングフック
５０，５１  ヘッドホン
６１ｆ  （広い面）表面
６１Ｒ３ｂ  切り込み部
６３Ｌ２ａ，６３Ｒ２ａ  背面部
ＥＧ  絵柄
ＨＯＭ  放音面
ＳＮＬ，ＳＮＲ  信号線
【図１】
2009027621.tif 000003
【図２】
2009027621.tif 000004
【図３】
2009027621.tif 000005
【図４】
2009027621.tif 000006
【図５】
2009027621.tif 000007
【図６】
2009027621.tif 000008
【図７】
2009027621.tif 000009
【図８】
2009027621.tif 000010
【図９】
2009027621.tif 000011
【図１０】
2009027621.tif 000012